(57)【要約】【課題】  、紫外線殺菌筒の交換を容易した防水性及び利便性の優れた紫外線殺菌筒における封止構造を提供する。【解決手段】一端に紫外線灯本体１を装着する開口部を形成した有底の内部中空状の外装石英ガラス管５と、分割形成された上，下ベース部材２，４の連結により構成される前記紫外線灯本体１の上蓋１１を保持するベース部材２０と、弾性材質によりリング状に形成されたＯリング３とを備え、前記Ｏリング３は前記ベース部材２０の上，下ベース部材２，４の連結部分と前記外装石英ガラス管５の外周面との間に生じる連結隙間を水密に封止するようにした構成とした。【選択図】図１
0003121440.tif 000002
【実用新案登録請求の範囲】
【請求項１】
一端に紫外線灯本体を装着する開口部を形成した有底の内部中空状の外装石英ガラス管と、分割形成された上，下ベース部材の連結により構成される前記紫外線灯本体の上蓋を保持するベース部材と、弾性材質によりリング状に形成されたＯリングとを備え、前記Ｏリングは前記ベース部材の上，下ベース部材の連結部分と前記外装石英ガラス管の外周面との間に生じる連結隙間を水密に封止するようにしたことを特徴とする紫外線殺菌筒における封止構造。
【請求項２】
分割形成された上，下ベース部材の連結により構成されるベース部材は、それぞれ中央に貫通孔を有し、前記上ベース部材の上端面には前記紫外線灯本体の電極端子が突出した上蓋が固定されるようになっていることを特徴とする請求項１記載の紫外線殺菌筒における封止構造。
【請求項３】
前記ベース部材の上ベース部材は、貫通穴の内壁面に、前記外装石英ガラス管の外径とほぼ同じ径を有するリング状の嵌合段差部が設けられ、外周壁面の中央部及び下端部にはそれぞれ雄ねじ部が形成されており、前記下端部の雄ねじ部には雌ねじ部が螺合されるようになっていると共に、前記上ベース部材の下端面は内方に向けて開口する前記Ｏリングが装着される円弧面が形成されていることを特徴とする請求項１または２に記載の紫外線殺菌筒における封止構造。
【請求項４】
前記ベース部材の下ベース部材は、中空筒状に形成されており、下端部に内方に突出する環状リブが形成され、前記環状リブの開口部内径が、前記外装石英ガラス管の外周径とほぼ同じで、内壁面には前記上ベース部材の下端部の雄ねじ部と螺合する雌ねじ部が形成されると共に、前記環状リブの内面には環状の曲面が形成されて、前記Ｏリングを前記上ベース部材の円弧面と協働で挟持するようになっていることを特徴とする請求項１または２に記載の紫外線殺菌筒における封止構造。
【考案の詳細な説明】
【技術分野】
【０００１】
本考案は、紫外線殺菌筒における封止構造の改良に関し、特に、シール材として圧迫式封止型のＯリングを利用することにより、使用中、紫外線殺菌筒を収容する部品との接合隙間から水等が浸透することを有効に防止し、且つ、紫外線殺菌筒の交換を容易した利便性の優れた紫外線殺菌筒における封止構造に関する。
【背景技術】
【０００２】
図５は、従来の紫外線浄水・殺菌筒の組立て構造の断面図あって、紫外線浄水・殺菌筒は、石英ガラスによって形成された一方に開口部を有し、他方に底面を有する有底の外装石英ガラス管５と該ガラス管５の開口部に配設されるベース部材７とからなり、前記外装石英ガラス管５には紫外線を照射する紫外線灯本体９が配置されている。また、前記ベース部材７の貫通孔１０には前記外装石英ガラス管５の開口部が嵌合され、前記外装石英ガラス管５の外周面とベース部材７貫通孔１０の内周結合部分には、シリコーンやラバーなどの粘着剤８が配設されて、前記結合部分に生じる隙間を封止するようにしている。
【考案の開示】
【考案が解決しようとする課題】
【０００３】
しかるに、従来の紫外線殺菌筒は、外装石英ガラス管５とベース部材７との間に、シリコーンやラバーなどの粘着剤８を配設して結合部分の防水性を封止するようにしているが、気密性が悪く、使用中に紫外線殺菌筒内に水等が侵入することにより使用不能になったり、紫外線殺菌筒を交換する時には、例えば、元のシリコーンやラバーなどの粘着剤を除去することが必要となり交換作業に手間と時間が掛かり、交換作業中に石英ガラス管に傷を付ける恐れがあり、利便性及び安全性が大幅に低減される現状にある。
本考案の紫外線殺菌筒における封止構造の主な目的は、従来の紫外線殺菌筒が、外装石英ガラス管５とベース部材７との間にシリコーンやラバーなどの粘着剤８を配設して結合部分の防水性を図っているが、互いの水密性を改善すべくシール材をＯリングに変更して圧迫式封止効果を有するものとすることにより防水効果が向上されて、紫外線殺菌筒の耐用寿命が増加する紫外線殺菌筒における封止構造を提供するものである。
【０００４】
また、本考案の他の目的は、従来の紫外線殺菌筒における外装石英ガラス管５の開口部に配設される単一の設計のベース部材に代えて、２つの上，下ベース部材の連結によるベース部材構成とし、互いの連結部分にＯリングを配設して、前記上，下ベース部材と外装石英ガラス管５の外周面との連結隙間をシール可能とすることで、水密性と交換利便性の優れた紫外線殺菌筒における封止構造を提供するものである。
【課題を解決するための手段】
【０００５】
上記の目的及び効果を達成するために、本考案に係る紫外線殺菌筒における封止構造は、一端に紫外線灯本体を装着する開口部を形成した有底の内部中空状の外装石英ガラス管と、分割形成された上，下ベース部材の連結により構成され、前記紫外線灯本体の上蓋を保持するベース部材と、弾性材質によりリング状に形成されたＯリングとを備え、前記Ｏリングは前記ベース部材の上，下ベース部材の連結部分及び前記外装石英ガラス管の外周面との間に生じる連結隙間を水密に封止するようにしたことを特徴とする。
【０００６】
請求項２の考案は、請求項１記載の紫外線殺菌筒における封止構造において、分割形成された上，下ベース部材の連結により構成されるベース部材は、それぞれ中央に貫通孔を有し、前記上ベース部材の上端面には前記紫外線灯本体の電極端子が突出した上蓋が固定されるようになっていることを特徴とする。
【０００７】
請求項３の考案は、請求項１または２に記載の紫外線殺菌筒における封止構造において、前記ベース部材の上ベース部材は、貫通穴の内壁面に、前記外装石英ガラス管の外径とほぼ同じ径を有するリング状の嵌合段差部が設けられ、外周壁面の中央部及び下端部にはそれぞれ雄ねじ部が形成されており、前記下端部の雄ねじ部には雌ねじ部が螺合されるようになっていると共に、前記上ベース部材の下端面は内方に向けて開口する前記Ｏリングが装着される円弧面が形成されていることを特徴とする。
請求項４の考案は、請求項１または２に記載の紫外線殺菌筒における封止構造において、前記ベース部材の下ベース部材は、中空筒状に形成されており、下端部に内方に突出する環状リブが形成され、前記環状リブの開口部内径が、前記外装石英ガラス管の外周径とほぼ同じで、内壁面には前記上ベース部材の下端部の雄ねじ部と螺合する雌ねじ部が形成されると共に、前記環状リブの内面には環状の曲面が形成されて、前記Ｏリングを前記上ベース部材の円弧面と協働で挟持するようになっていることを特徴とする。
【考案の効果】
【０００８】
本考案に係る紫外線殺菌筒における封止構造は、外装石英ガラス管が嵌合するベース部材を上，下ベース部材による分割構成として、前記ベース部材の上，下ベース部材の連結部と前記外装石英ガラス管の外周面との間に生じる連結隙間を水密に封止するようにリング状のＯリングを配設した構成としたので、圧迫式封止効果によって、互いの水密性が向上されて、紫外線殺菌筒の耐用寿命が増加する紫外線殺菌筒における封止構造を提供するものである。
また、従来の単一の設計のベース部材に代えて、上，下ベース部材の連結によるベース部材構成とし、互いの連結部にＯリングを配設して、前記上，下ベース部材と外装石英ガラス管５の外周面との連結隙間をシール可能とすることで、水密性と交換利便性の優れた紫外線殺菌筒における封止構造を提供出来る効果がある。
更に、高度封止性を有することだけでなく、大幅に実用上の利便性が向上され、また、防水効果やメンテナンスの利便性も、有効的に改善される効果がある。
更にまた、本考案の紫外線浄水殺菌筒構造は、防水性が完全であるため紫外線殺菌筒の内部に装着された電気部品が、水の浸透により破壊されることを防止できる。
【考案を実施するための最良の形態】
【０００９】
以下、図面を参照して、本考案を実施するための最良の形態について、実施例を図１〜図４を基に説明する。
【実施例】
【００１０】
図１は、紫外線殺菌筒における封止構造の実施例を示す分解斜視図であり、図２は同じく組み立て状態の全体斜視図、図３は同じく縦断面図、図４は同じく使用状態を示す断面図である。
本考案の紫外線殺菌筒における封止構造は、紫外線殺菌筒の本体１と分割形成された上，下ベース部材２，４の連結により構成されるベース部材２０と、弾性材質によりリング状に形成されたＯリング３と、前記紫外線殺菌筒の本体１を収容する外装石英ガラス管５からなる。
前記Ｏリング３は前記ベース部材２０の上，下ベース部材２，４の連結部分と前記外装石英ガラス管の外周面との間に生じる連結隙間を水密に封止するようになっている。
前記紫外線殺菌筒の本体１は、上部に前記ベース部材２０の上ベース部材２の上面にネジ１３により固定される上蓋１１を有し、該上蓋１１の上方には電極端子１２の一端が突出し、且つ前記ネジ１３が挿入されるソケット穴１４が形成されている。
前記上蓋１１の下方には、前記電極端子１２の他端に接続された上フィラメント１５及び下フィラメント１６が設けられ、このフィラメント１５，１６にはたとえば参加バリウム系のエミッターが塗布されている。１７は内部中空筒状の石英ガラス管である。前記上蓋１１に装着された電極端子１２は、上フィラメント１５及び下フィラメント１６への電源入力端子であり、上蓋１１の下方に、順に上フィラメント１５と石英ガラス管１７及び下フィラメント１６が結合され、上フィラメント１５及び下フィラメント１６が、石英ガラス管１７に覆われる。前記石英ガラス管１７は、封止された石英ガラス材質で、上フィラメント１５と下フィラメント１６を保護するためのものである。
【００１１】
前記ベース部材２０は、上，下ベース部材２，４に分割形成されており、中空のリング状体であり、前記ベース部材の上ベース部材２は、貫通穴の内壁面に、前記外装石英ガラス管５の外径とほぼ同じ径を有するリング状の嵌合段差部２５が設けられ、外周壁面の中央部及び下端部にはそれぞれ雄ねじ部２１，２２が形成されており、前記下端部の雄ねじ部２２には前記下ベース部材４の雌ねじ部４１が螺合されるようになっていると共に、前記上ベース部材２の下端面は内方に向けて開口するＯリング３が装着される円弧面２４が形成されている。
また、前記ベース部材２０の下ベース部材４は、中空筒状に形成されており、下端部に内方に突出する環状リブ４３が形成され、前記環状リブ４３の開口部内径が、前記外装石英ガラス管５の外周径とほぼ同じで、内壁面には前記上ベース部材２の下端部の雄ねじ部２２と螺合する雌ねじ部４３が形成され、更に前記環状リブ４３の内面には環状の曲面４２が形成されて、前記Ｏリング３を前記上ベース部材２の円弧面２４と協働で挟持するようになっている。
【００１２】
前記Ｏリング３は、ラバー材質で、細いリング状に形成され、上ベース部材２の環状の円弧面２４と下ベース部材４の環状の曲面４２との間に設けられ、その断面が、円形状で、力を受けると変形して流体の浸透を防止するための、圧迫式封止型の高度防水効果を有するものである。
【００１３】
外装石英ガラス管５は、上端に開口が形成される有底の内部中空筒状の外装石英ガラス管であり、主として、前記紫外線殺菌筒の本体１の石英ガラス管１７を保護し、外装石英ガラス管５の外部が直接に水に接触するようになっている。
【００１４】
以上のように構成された本考案の紫外線殺菌筒における封止構造の組み立てについて、図２を参照しながら説明する。
前記紫外線殺菌筒の本体１の上部に配設された上蓋１１に、順にベース部材２０の上，下ベース部材２，４が組み付けられ、上ベース部材２と下ベース部材４との間にＯリング３を装着する。上蓋１１はネジ１３によって上ベース部材２に螺着され、上蓋１１の上部から突出した電極端子１２は、電源入力側となる。また、上ベース部材２の軸方向外周中央部に形成した雄ねじ２１は、図４に見られるように殺菌浄水槽６の取り付け開口に螺着される。前記紫外線殺菌筒の本体１の上フィラメント１５と下フィラメント１６は石英ガラス管１７内に装着されて覆われている。また、外装石英ガラス管５は、上ベース部材２と下ベース部材４の内孔に嵌合されて組立てられる。
【００１５】
図３を参照して本考案にかかる紫外線殺菌筒における封止構造の封止機能について説明する。
上蓋１１と上ベース部材２との螺着は、ネジ１３を上ベース部材２のネジ穴２３に螺合することにより行われ、上ベース部材２の下端部の雄ねじ部２２は、下ベース部材４の雌ねじ４１に螺合される。そして、上ベース部材２から露出した上端雄ねじ部２１は、殺菌浄水槽６に螺着される。Ｏリング３は、上ベース部材２と下ベース部材４及び外装石英ガラス管５の外周面によって圧迫されることで、防水効果が得られる。
外装石英ガラス管５の上端は、上ベース部材２と下ベース部材４の内孔に嵌合挿入して、内孔の段差部２５の壁面に緊密に接触して気密性を保持する。
上フィラメント１５と下フィラメント１６は、前記紫外線殺菌筒の本体１の石英ガラス管１７に覆われて外装石英ガラス管５内に嵌入されることで、二重の保護が形成される。
【００１６】
図４は、本考案の封止構造を備えた紫外線殺菌筒の使用状態を示すもので、箱型槽体に形成された浄水槽６は、左側において、低い所に、供水口６２があり、右側において、高い所に、排水口６３があり、処理する水体は、左下側の供水口６２から浄水槽６に入り、紫外線殺菌筒によって照射されて殺菌された後、右上側の排水口６３を介して浄水槽６から排出される。前記紫外線殺菌筒は、前記上ベース部材２の雄ねじ２１を浄水槽６の雌ねじ６１に螺着することで着脱可能に固定される。
【００１７】
本考案は、上記のように、上，下ベース部材そしてＯリングの設計による圧迫式封止効果により、防水効果が向上され、また、殺菌筒を交換する時の利便性が可能となる。また、本考案に係わる紫外線殺菌筒における封止構造は、極めて実用的なものである。
以上本考案に係る実施例を説明したが、本考案は上記実施例に限定されることなく実用新案登録請求の範囲に包含される技術的変更及び修正は、本考案の実用新案登録請求の範囲に含まれるものであることを了解されたい。
【図面の簡単な説明】
【００１８】
【図１】本考案に係る紫外線殺菌筒における封止構造の実施例を示す分解斜視図。
【図２】同じく組み立て状態の全体斜視図。
【図３】同じく縦断面図。
【図４】同じく使用状態を示す断面図。
【図５】従来の紫外線浄水・殺菌筒の組立て構造断面図。
【符号の説明】
【００１９】
１      紫外線殺菌筒本体
１１    上蓋
１２    電極端子
１３    ネジ
１４    ソケット穴
１５    上フィラメント
１６    下フィラメント
１７    石英ガラス管
２０    ベース部材
２      上ベース部材
２１    雄ねじ部
２２    雄ねじ部
２３    ネジ穴
２４    円弧面
３      Ｏリング
４      下ベース部材
４１    雌ねじ部
４２    曲面
５      外装石英ガラス管
６      浄水槽
６１    雌ねじ部
６２    供水口
６３    排水口
８      リコーンやラバーンなどの粘着剤
【図１】
0003121440.tif 000003
【図２】
0003121440.tif 000004
【図３】
0003121440.tif 000005
【図４】
0003121440.tif 000006
【図５】
0003121440.tif 000007